(57)【特許請求の範囲】
【請求項１】
複数のカード処理機と、該複数のカード処理機と通信回線で接続された管理装置とを有する遊技場のカードシステムにおいて、
前記カード処理機は、
カードの処理に際して該カードから読み取ったカードデータを前記管理装置に送信するカードデータ送信手段
を具備し、
前記管理装置は、
前記カードの状態を判別するための期間情報として、有効期間、前記有効期間経過後の更新期間、前記更新期間経過後の救済期間を設定する期間情報設定手段と、
前記カードデータ送信手段で送信されたカードデータおよび前記期間情報設定手段に設定された期間情報に基づき前記カードの状態を判別する判別手段と、
前記判別手段により前記カードの状態が前記有効期間にあると判別した場合は該カードによる入金、利用、精算を許可し、また、前記判別手段により前記カードの状態が前記更新期間にあると判別した場合は設定される制御内容に応じて前記有効期間が経過した該カードの精算或いは前記有効期間が経過した該カードの更新処理を行った後に該カードによる利用、精算を許可し、また、前記判別手段により前記カードの状態が前記救済期間にあると判別した場合は該カードによる精算のみを許可するように制御する制御手段と
を具備するカードシステム。
【請求項２】
前記管理装置は、
前記判別手段により前記カードの状態が前記更新期間にあると判別した場合の該カードの前記制御内容を設定する制御内容設定手段
を更に具備し、
前記制御手段は、
前記判別手段により前記カードの状態が前記更新期間にあると判別した場合は該カードに対する処理を前記制御内容設定手段に設定された制御内容に基づき制御する
請求項１記載のカードシステム。
【請求項３】
前記制御手段は、
前記制御内容設定手段で自動更新が設定された場合には、前記有効期間が経過した前記カードの前記更新処理を自動的に行う
請求項２記載のカードシステム。
【請求項４】
前記制御手段は、
前記制御内容設定手段で係員による更新が設定された場合には、前記係員が行う前記カード処理機での更新操作によって前記カード処理機から送られる更新要求を受け付けると、前記有効期間が経過した前記カードの前記更新処理を行う
請求項２記載のカードシステム。
【請求項５】
前記制御手段は、
前記制御内容設定手段で遊技客による更新が設定された場合には、前記遊技客が行う前記カード処理機での更新操作によって前記カード処理機から送られる更新要求を受け付けると、前記有効期間が経過した前記カードの前記更新処理を行う
請求項２記載のカードシステム。
【請求項６】
前記制御手段は、
前記制御内容設定手段で精算処理が可能と設定された場合に前記有効期間が経過した前記カードの精算を許可する
請求項２記載のカードシステム。
【請求項７】
前記期間情報設定手段は、
前記カードの種別に対応して前記カードの状態を判別するための期間情報をそれぞれ設定する
請求項１乃至５のいずれかに記載のカードシステム。
【請求項８】
複数のカード処理機と、該複数のカード処理機と通信回線で接続された管理装置とを有する遊技場のカードシステムにおけるカード管理方法において、
前記カード処理機は、
カードの処理に際して該カードから読み取ったカードデータを前記管理装置にカードデータ送信手段により送信し、
前記管理装置は、
前記カードの状態を判別するために設定される有効期間、前記有効期間経過後の更新期間、前記更新期間経過後の救済期間、および前記カードデータ送信手段で送信されたカードデータに基づき前記カードの状態を判別手段により判別し、
前記判別手段により前記カードの状態が前記有効期間にあると判別した場合は該カードによる入金、利用、精算を許可し、また、前記判別手段により前記カードの状態が前記更新期間にあると判別した場合は設定される制御内容に応じて前記有効期間が経過した該カードの精算或いは前記有効期間が経過した該カードの更新処理を行った後に該カードによる利用、精算を許可し、また、前記判別手段により前記カードの状態が前記救済期間にあると判別した場合は該カードによる精算のみを許可するように制御する
カード管理方法。
【発明の詳細な説明】
【技術分野】
【０００１】
本発明は、有効期間を過ぎた後に遊技媒体貸出の為に更新処理が必要な遊技カードを使ったカードシステムおよびカード管理方法に関し、特に、有効期間を過ぎた後に行える処理の処理内容、処理期間に関する任意な設定を１つの管理装置だけで行うことができるカードシステムおよびカード管理方法に関する。
【背景技術】
【０００２】
従来よりパチンコ、パチスロ等の遊技台で遊技を行える遊技場内で、遊技を行う為に必要な遊技媒体の貸出に現金以外の遊技カードが使用されている。
【０００３】
この遊技カードには、各カードに他のカードと一意に識別可能なカードＩＤが付されており、遊技客によって、遊技カードによる遊技媒体の貸出が行われる際には、遊技台の間に設置された台間カード処理装置に遊技カードが挿入され貸出要求がなされることで、挿入された遊技カードのカードＩＤがカードＩＤ毎の入金額を管理している管理装置に送信され、管理装置において入金額のうち遊技媒体と交換可能な残高の計算が行われ、遊技客の要求した額の遊技媒体の貸出処理が行われる。
【０００４】
遊技カードは、遊技場内で販売されており、一般的に遊技カードには該遊技カードによる貸出処理が行える有効期間が設定されている。
【０００５】
しかし、設定された有効期間内に遊技カード毎の貸出可能な入金額を全て使用しないケースも多く、未使用の残高が有効期間を過ぎて持ち越されることもある。
【０００６】
このように、有効期間を過ぎた遊技カードを使用するには、遊技場内における更新処理が必要で、更新処理が行われることによって有効期間を過ぎた遊技カードを使用した遊技媒体の貸出が行われる。
【０００７】
そして、特許文献１には、カード発行、精算、更新処理の少なくとも２つを１台の装置で実現することで、スペース的、コスト的、配線引き回しなどの問題を解消し、遊技客の利便性を向上させ、かつ機器の使用効率を向上させることができるカード処理装置が提供されている。
【特許文献１】特開２００２−２７３０１４号公報
【発明の開示】
【発明が解決しようとする課題】
【０００８】
しかし、遊技店における遊技カードの運用形態は近年多様化してきており、遊技カードの更新処理をユーザに操作させる遊技店もあれば、ホール係員のみに操作させる遊技店もある。
【０００９】
また、更新処理を行うことができる更新期間を遊技店によって１つの管理装置で自由に変更することができるシステムがあれば遊技店毎に柔軟な運用を効率良く行うことができ便利である。
【００１０】
つまり、更新期間の設定を遊技カードを挿入する台間カード処理装置で行っていた遊技場では、多数の台間カード処理装置に対して更新期間の設定を行うので、複数の台間カード処理装置を統括する１つの管理装置で更新期間の設定が行えるようになれば効率がよい。
【００１１】
そして、更新期間を自由に設定することができ遊技店毎に柔軟な運用が行える。
【００１２】
そこで、この発明は、有効期間を過ぎた後に行える処理の処理内容、処理期間に関する任意な設定を１つの管理装置だけで行うことができるカードシステムおよびカード管理方法を提供することを目的とする。
【課題を解決するための手段】
【００１３】
上記目的を達成する為に、請求項１の発明のカードシステムは、複数のカード処理機と、該複数のカード処理機と通信回線で接続された管理装置とを有する遊技場のカードシステムにおいて、前記カード処理機は、カードの処理に際して該カードから読み取ったカードデータを前記管理装置に送信するカードデータ送信手段を具備し、前記管理装置は、前記カードの状態を判別するための期間情報として、有効期間、前記有効期間経過後の更新期間、前記更新期間経過後の救済期間を設定する期間情報設定手段と、前記カードデータ送信手段で送信されたカードデータおよび前記期間情報設定手段に設定された期間情報に基づき前記カードの状態を判別する判別手段と、前記判別手段により前記カードの状態が前記有効期間にあると判別した場合は該カードによる入金、利用、精算を許可し、また、前記判別手段により前記カードの状態が前記更新期間にあると判別した場合は設定される制御内容に応じて前記有効期間が経過した該カードの精算或いは前記有効期間が経過した該カードの更新処理を行った後に該カードによる利用、精算を許可し、また、前記判別手段により前記カードの状態が前記救済期間にあると判別した場合は該カードによる精算のみを許可するように制御する制御手段とを具備するように構成される。
【００１４】
また、請求項２の発明は、請求項１の発明において、前記管理装置は、前記判別手段により前記カードの状態が前記更新期間にあると判別した場合の該カードの前記制御内容を設定する制御内容設定手段を更に具備し、前記制御手段は、前記判別手段により前記カードの状態が前記更新期間にあると判別した場合は該カードに対する処理を前記制御内容設定手段に設定された制御内容に基づき制御するように構成される。
【００１５】
また、請求項３の発明は、請求項２の発明において、前記制御手段は、前記制御内容設定手段で自動更新が設定された場合には、前記有効期間が経過した前記カードの前記更新処理を自動的に行うように構成される。
【００１６】
また、請求項４の発明は、請求項２の発明において、前記制御手段は、前記制御内容設定手段で係員による更新が設定された場合には、前記係員が行う前記カード処理機での更新操作によって前記カード処理機から送られる更新要求を受け付けると、前記有効期間が経過した前記カードの前記更新処理を行うように構成される。
【００１７】
また、請求項５の発明は、請求項２の発明において、前記制御手段は、前記制御内容設定手段で遊技客による更新が設定された場合には、前記遊技客が行う前記カード処理機での更新操作によって前記カード処理機から送られる更新要求を受け付けると、前記有効期間が経過した前記カードの前記更新処理を行うように構成される。
【００１８】
また、請求項６の発明は、請求項２の発明において、前記制御手段は、前記制御内容設定手段で精算処理が可能と設定された場合に前記有効期間が経過した前記カードの精算を許可するように構成される。
【００１９】
また、請求項７の発明は、請求項１から５のいずれかの発明において、前記期間情報設定手段は、前記カードの種別に対応して前記カードの状態を判別するための期間情報をそれぞれ設定するように構成される。
【００２０】
また、請求項８の発明のカード管理方法は、複数のカード処理機と、該複数のカード処理機と通信回線で接続された管理装置とを有する遊技場のカードシステムにおけるカード管理方法において、前記カード処理機は、カードの処理に際して該カードから読み取ったカードデータを前記管理装置にカードデータ送信手段により送信し、前記管理装置は、前記カードの状態を判別するために設定される有効期間、前記有効期間経過後の更新期間、前記更新期間経過後の救済期間、および前記カードデータ送信手段で送信されたカードデータに基づき前記カードの状態を判別手段により判別し、前記判別手段により前記カードの状態が前記有効期間にあると判別した場合は該カードによる入金、利用、精算を許可し、また、前記判別手段により前記カードの状態が前記更新期間にあると判別した場合は設定される制御内容に応じて前記有効期間が経過した該カードの精算或いは前記有効期間が経過した該カードの更新処理を行った後に該カードによる利用、精算を許可し、また、前記判別手段により前記カードの状態が前記救済期間にあると判別した場合は該カードによる精算のみを許可するように制御するように構成される。
【発明の効果】
【００２２】
本発明のカードシステムおよびカード管理方法によれば、カード処理機は、カードの処理に際して該カードから読み取ったカードデータを管理装置に送信するカードデータ送信手段を具備し、管理装置は、カードデータ送信手段で送信されたカードデータに基づき該カードの状態を判別する判別手段と、判別手段により判別されたカードの状態に基づき該カードによる処理態様を制御する制御手段とを具備するように構成したので、有効期間を過ぎた後に行える処理の処理内容、処理期間に関する任意な設定を１つの管理装置だけで行うことができるという効果を奏する。
【発明を実施するための最良の形態】
【００２３】
以下、本発明に係わるカードシステムおよびカード管理方法の実施例について添付図面を参照して詳細に説明する。
【００２４】
まず、本発明に係わるカードシステムのシステム構成について図１を参照して説明を行う。
【００２５】
図１は、遊技場内の本発明に係わるカードシステム２００の概略を示したシステム構成図である。
【００２６】
図１に示すように、カードシステム２００は、遊技台１０、カード処理機である台間カード処理装置２０、島コントローラ３０、デビット券売機４０、精算機５０、管理装置であるターミナルコントローラ１００がケーブル６０により接続されて構成される。
【００２７】
カードシステム２００には、「島」と呼ばれるグループごとに複数の遊技台１０が設置され、各遊技台１０が備える玉投出機構と連携して遊技媒体であるパチンコ玉の貸出を行う台間カード処理装置２０が各遊技台１０に１台づつ配置される。
【００２８】
カード処理装置である台間カード処理装置２０の正面パネルには、遊技カードであるプリペイドカードや会員カードが挿入される図示しないカード挿入口が設けられている。
【００２９】
島コントローラ３０は、遊技台１０と台間カード処理装置２０を各島毎に管理し、島内の遊技台１０、台間カード処理装置２０からの情報をターミナルコントローラ１００に送信したり、ターミナルコントローラ１００からの情報を島内の指定の遊技台１０、台間カード処理装置２０に送信する。
【００３０】
デビット券売機４０では、現金もしくはデビットカードによるプリペイドカードの発行が行われる。
【００３１】
精算機５０では、有効期間が過ぎた遊技カードの更新処理や入金額のうち遊技媒体と交換可能な未使用の残高を現金として払い出す精算処理が行われ、更新を要求する更新ボタンと精算を要求する精算ボタンとが設置されている。
【００３２】
管理装置であるターミナルコントローラ１００は、カードシステム２００の全体を制御統括するコントローラであり、デビット券売機４０より発行されるプリペイドカードや図示しないカウンタより発行される会員カードの管理、そして、台間カード処理装置２０から送られる遊技カードの情報の管理を行う（会員カードとプリペイドカードは総称して遊技カードと呼ぶ）。
【００３３】
また、ターミナルコントローラ１００は、上記の管理を行う為に、各種データが記録された、期間設定ファイル１１１、更新パターン設定ファイル１１２、カードマスタ１１３、営業日付管理ファイル１１４を有する。
【００３４】
このカードシステム２００において、遊技カードのうち会員カードは、図示しないカウンタで店員から遊技客に発行され、また、遊技カードのうちプリペイドカードは、デビット券売機４０から遊技客に発行される。
【００３５】
発行された会員カード、プリペイドカードの遊技カードは、発効日が各遊技カードのカードＩＤ毎にカードマスタ１１３に記録され管理が行われる。
【００３６】
また、遊技カードの更新期間、救済期間は、会員カード、一般カード別に設定されており、期間設定ファイル１１１に該設定の内容が記録保存される。
【００３７】
各遊技カードの有効期間中には、遊技客は、各遊技カードに記録される入金額の追加入金を行う追加入金や、各遊技カードを利用した遊技媒体の貸出処理である玉貸処理や、各遊技カードに記録された入金額のうちの未使用の残高を払い出す精算の処理を行うことができる。
【００３８】
本実施例では、カードシステム２００で管理される会員カード、プリペイドカードの有効期間は１日と設定して説明を行う。
【００３９】
また、更新期間中には、有効期間を過ぎたが残高を持ち越した各遊技カードについて、そのままでは有効期間を過ぎているので該遊技カードを使用した遊技媒体の貸出処理は行えないが、更新期間中には、更新処理が台間カード処理装置２０或いは精算機５０によって行われることによって、更新処理が行われた各遊技カードによる遊技媒体の貸出処理が可能となる。
【００４０】
有効期間が過ぎた会員カード、プリペイドカードの各遊技カードは、各遊技カードに設定された更新期間中では、台間カード処理装置２０或いは精算機５０で、更新処理が行われて、更新処理が行われた各遊技カードによる遊技媒体の貸出と精算処理とが可能となる。
【００４１】
また、更新期間中では、更新パターン設定ファイル１１２に記録された内容の更新処理と精算処理とがカードシステム２００において行われる。
【００４２】
更新期間が過ぎると、更新処理が行われなくなる。
【００４３】
更新期間が過ぎると、更新期間の次に設定された救済期間中であれば、係員が精算機５０を使用して救済期間中の各遊技カードの未使用残高分を現金として払い出すことが可能とされる。
【００４４】
次に、ターミナルコントローラ１００の内部構成について図２を参照して説明を行う。
【００４５】
図２は、ターミナルコントローラ１００の内部構成について示したブロック図である。
【００４６】
ターミナルコントローラ１００は、記憶装置１１０、ＣＰＵ(Central Processing Unit)１２０、入出力装置１３０、表示装置１４０、通信インタフェース（以下、図面とともに通信Ｉ／Ｆと呼ぶ）１５０で構成されている。
【００４７】
記憶装置１１０では、カードシステム２００でシステムが運用される際の各種情報が記憶され、期間設定ファイル１１１、更新パターン設定ファイル１１２、カードマスタ１１３、営業日付管理ファイル１１４が備えられる。
【００４８】
記憶装置１１０内の期間設定ファイル１１１では、会員カード、プリペイドカードのそれぞれについて、更新期間と救済期間との期間のデータが記録される。
【００４９】
また、記憶装置１１０内の更新パターン設定ファイル１１２では、更新や精算の処理について、設定される処理パターンのデータが記録される。
【００５０】
また、記憶装置１１０内のカードマスタ１１３では、遊技場内で発行された遊技カードの発行日、会員／一般の種別、未更新／更新等のカード状態、残高等の情報が記録され、更新処理、精算処理の際にカードマスタ１１３に記録された該情報が参照され、また、各遊技カードの状態表示が行われる際や、遊技場の集計として各状態のカード枚数等の表示が行われる際にもカードマスタ１１３に記録された該情報が参照される。
【００５１】
また、カードマスタ１１３に記録されるカード状態は、「当日」、「未更新」、「更新済」、「未救済」、「精算済」、「失効」であり、「当日」は有効期間中の遊技カードを示し、「未更新」は更新期間中であって更新処理が行われていない未更新の遊技カードを示し、「更新済み」は更新期間中であって更新処理が行われた更新済みの遊技カードを示し、「未救済」は救済期間中であって、救済期間中の残高の払い出し処理の精算処理が行われていない遊技カードを示し、「精算済」は残高の精算が全て行われた遊技カードを示し、「失効」は残高の精算が行われなくて救済期間が過ぎた遊技カードを示す。
【００５２】
また、記憶装置１１０内の営業日付管理ファイル１１４では、遊技場の営業日に関するデータが記録される。
【００５３】
また、ＣＰＵ１２０はターミナルコントローラ１００の動作制御を行い、カードマスタ１１３に記録されるカード状態を参照することで、遊技カードのカード状態を判断する。
【００５４】
また、入出力装置１３０はキーボードやプリンタで構成され、カードシステム２００の運用に関する設定が係員によって行われる際に設定値の入力等に使用されたり、各種表示内容の印刷出力に使用される。
【００５５】
また、表示装置１４０は、ディスプレイで構成され、各種情報が表示される。
【００５６】
また、通信Ｉ／Ｆ１５０では、カードシステム２００内にターミナルコントローラ１００と電気的に接続されたデビット券売機４０、精算機５０とのデータの授受、また、各島コントローラ３０に統括された各遊技台１０、各台間カード処理装置２０との情報の授受が行われる。
【００５７】
次に、カードシステム２００の運用前の準備として必要な処理について図３を参照して説明を行う。
【００５８】
図３は、カードシステム２００の運用前の準備として必要な処理の処理フローについて示したフローチャートである。
【００５９】
まず、運用前に、係員によって、ターミナルコントローラ１００の入出力装置１３０より、会員カード、プリペイドカードについて、更新期間、救済期間の設定が行われ、期間設定ファイル１１１に記録される（ステップ３０１）。
【００６０】
期間に関する設定が行われると、次に、係員によって、更新期間中の更新／精算処理の詳細内容の設定として、カード更新パターン（更新態様）の設定が入出力装置１３０より行われ、カード更新パターンの設定が更新パターン設定ファイル１１２に記録される（ステップ３０２）。
【００６１】
このようにして、カードシステム２００での運用前の準備として、更新期間、救済期間、カード更新パターンの設定が完了する。
【００６２】
次に、運用前に係員によって行われる、期間に関する設定とカード更新パターンに関する設定の際に表示装置１４０に表示される設定画面について図４を参照して説明を行う。
【００６３】
図４は、運用前に係員によって行われる、期間に関する設定とカード更新パターンに関する設定の際に表示装置１４０に表示される設定画面の画面構成図であり、図４（ａ）は、期間に関する設定が行われる際に表示装置１４０に表示されるカードシステム運用設定画面４０１を示す画面構成図であり、図４（ｂ）は、更新期間中の更新／精算処理の詳細内容であるカード更新パターンの設定が行われる際に表示装置１４０に表示されるカード更新パターン設定画面４０２を示す画面構成図である。
【００６４】
運用前に係員によって行われる期間に関する設定がターミナルコントローラ１００で行われる際には、表示装置１４０に、図４（ａ）に示すカードシステム運用設定画面４０１が表示される。
【００６５】
カードシステム運用設定画面４０１では、玉貸や精算の処理が可能な更新期間の設定について、プリペイドカードの更新期間が入力される欄４０３と会員カードの更新期間が入力される欄４０４が配置される。
【００６６】
さらに、カードシステム運用設定画面４０１では、欄４０４の下に、係員による精算が可能となる救済期間の設定について、プリペイドカードの更新期間が入力される欄４０５と会員カードの更新期間が入力される欄４０６とが配置される。
【００６７】
欄４０３から欄４０６には、０〜３０日の間で任意の日の設定が行える。
【００６８】
図４（ａ）に示すカードシステム運用設定画面４０１では、欄４０３にプリペイドカードの更新期間が１５日、欄４０４に会員カードの更新期間が３０日、欄４０５にプリペイドカードの救済期間が１５日、欄４０６に会員カードの救済期間が３０日と入力されている。
【００６９】
このようにカードシステム運用設定画面４０１で設定された内容は、ターミナルコントローラ１００内の期間設定ファイル１１１に記録される。
【００７０】
本発明に係わるカードシステム２００では、更新期間、救済期間の設定がターミナルコントローラ１００だけの操作で行えるので、従来のように台間カード処理装置毎設定していた作業と比べて、作業が効率良く行える。
【００７１】
また、更新期間中のカード更新パターンに関する設定が運用前に係員によってターミナルコントローラ１００で行われる際には、表示装置１４０に、図４（ｂ）に示すカード更新パターン設定画面４０２が表示される。
【００７２】
カード更新パターン設定画面４０２には、カード更新パターンを数字で入力する欄４０７が配置されている。
【００７３】
本実施例においては、設定できるカード更新パターンが８種類あり、それぞれのパターンの示す数字がカード更新パターン設定画面４０２に表示される。
【００７４】
そして、設定されたカード更新パターンに応じて、再度玉貸し等が可能となるようにする更新処理や、未使用残高を払い出す精算処理が可能となるようにカードシステム２００において制御が行われる。
【００７５】
図４（ｂ）に示すカード更新パターン設定画面４０２には、欄４０７の下に、８種類のパターンとパターンを示す数字が表示されており、表示されている内容は、「１１＝自動更新（台間カード処理装置、精算機）、２２＝係員による更新が可能（精算機）、２３＝係員による精算が可能（精算機）、２４＝係員による更新ないし精算が可能（精算機）、２５＝利用者による更新が可能（精算機）、２６＝利用者による精算が可能（精算機）、２７＝利用者による更新ないし精算が可能（精算機）、２８＝利用者による更新、または係員による精算が可能（精算機）」である。
【００７６】
数字１１で示される「自動更新」がカード更新パターン設定画面４０２で設定された際には、有効期間を過ぎた各遊技カードは、遊技客が特に更新処理を意識しなくても有効期間を過ぎた時点で自動的に更新処理が行われて、台間カード処理装置２０から玉貸処理、または、精算機５０から精算処理が可能となる。
【００７７】
また、数字２２で示される「係員による更新が可能」がカード更新パターン設定画面４０２で設定された際には、有効期間を過ぎた各遊技カードの更新処理は、係員による精算機５０での処理しか行えない。
【００７８】
そして、更新処理が行われた遊技カードは、遊技客による玉貸処理と精算処理とが可能となり、台間カード処理装置２０からの玉貸処理、そして、精算機による精算処理が可能となる。
【００７９】
また、数字２３で示される「係員による精算が可能」がカード更新パターン設定画面４０２で設定された際には、精算処理は係員による精算機５０で可能な状態となる。
【００８０】
また、数字２４で示される「係員による更新ないし精算が可能」がカード更新パターン設定画面４０２で設定された際には、有効期間を過ぎた各遊技カードは、更新期間中は、係員により精算機５０で更新処理及び精算処理が可能となる。
【００８１】
そして、係員操作により精算機５０で更新処理された遊技カードは、台間カード処理装置２０での玉貸処理が可能となる。
【００８２】
また、数字２５で示される「利用者による更新が可能」がカード更新パターン設定画面４０２で設定された際には、有効期間を過ぎた各遊技カードは、更新期間中に、遊技客による精算機５０での更新処理のみが可能となる。
【００８３】
そして、更新処理が行われた遊技カードは、台間カード処理装置２０での玉貸処理が利用可能となり、また精算処理も可能となる。
【００８４】
また、数字２６で示される「利用者による精算が可能」がカード更新パターン設定画面４０２で設定された際には、精算処理は遊技客による精算機５０で可能な状態となる。
【００８５】
また、数字２７で示される「利用者による更新ないし精算が可能」がカード更新パターン設定画面４０２で設定された際には、有効期間を過ぎた各遊技カードは、更新期間中に、遊技客による精算機５０で更新処理が可能となる。
【００８６】
そして、精算機５０で更新処理された遊技カードは、台間カード処理装置２０での玉貸処理が利用可能となり、精算処理も遊技客によって精算機５０で可能となる。
【００８７】
また、数字２８で示される「利用者による更新または、係員による精算が可能」がカード更新パターン設定画面４０２で設定された際には、有効期間を過ぎた各遊技カードは、更新期間中に、遊技客による精算機５０での更新処理が可能となり、更新処理が行われた遊技カードは、台間カード処理装置０での玉貸処理が利用可能となる。
【００８８】
また、精算処理は、係員による精算機５０での精算処理が可能となる。
【００８９】
このように、運用前において、カード更新パターン設定画面４０２で設定された内容は、ターミナルコントローラ１００内の更新パターン設定ファイル１１２に記録され、記録された該内容に基づいて、各遊技カードの更新期間中に可能な処理が決定される。
【００９０】
次に、運用前の設定が行われてシステムの運用が行われるカードシステム２００における運用例の１つについて図５を参照して説明を行う。
【００９１】
図５は、運用前の設定が行われたカードシステム２００において、本発明に係わる運用が行われる処理の処理フローを示したフローチャートであり、図５（ａ）は遊技カードの発行が行われてカードデータが記録される際のカードシステム２００の処理フローを示したフローチャートであり、図５（ｂ）は更新期間中に更新／精算処理が行われる際のカードシステム２００の処理フローを示したフローチャートであり、図５（ｃ）は救済期間中に精算処理が行われる際のカードシステム２００の処理フローを示したフローチャートである。
【００９２】
カードシステム２００で、更新期間、救済期間、カード更新パターンを設定する運用前の準備が完了すると、運用の初めには、まず、遊技カードの発行処理が行われる（ステップ５０１）。
【００９３】
遊技カードのうち、会員カードが発行される際には、遊技客が遊技場の図示しないカウンタより係員に申請を行って会員カードの発行が行われる。
【００９４】
また、遊技カードのうち、プリペイドカードが発行される際には、遊技客によって遊技場のデビット券売機４０よりデビットカード或いは現金によりプリペイドカードの発行が行われる。
【００９５】
遊技カードが発行されると、発行された遊技カードのカードＩＤと、遊技カードの種別である「会員」或いは「一般」と、入金額、発行日時等のカード情報がターミナルコントローラ１００に送信されてカードマスタ１１３に記録される（ステップ５０２）。
【００９６】
カード情報の送信については、会員カードが発行される際には、該会員カードの発行を行ったホール係員によってカードＩＤ等のカード情報が図示しないカウンタに設置された入力装置より入力されてターミナルコントローラ１００に該入力されたカード情報が送信され、また、プリペイドカードが発行される際には、プリペイドカードの発行を行ったデビット券売機４０より発行されたプリペイドカードに関するカードＩＤ等のカード情報がターミナルコントローラ１００に送信される。
【００９７】
遊技カードの発行を受けた遊技客は、本実施例では遊技カードの有効期間は発行当日であるので、有効期間である発行当日には、該遊技カードに対する追加入金、該遊技カードを使用した遊技媒体の貸出処理である玉貸処理、該遊技カードに残された未使用の残高を払い出す精算処理が可能となる。
【００９８】
そして、遊技カードの発行日の翌日には、当該遊技カードの有効期間が過ぎて、カードマスタ１１３に記録されるカード状態が、「当日」から「未更新」に記録し直されて遊技カードは更新期間に移行する。
【００９９】
更新期間中の遊技カードでは、運用前にカード更新パターン設定画面４０２で設定されたカード更新パターン設定の内容に基づいてカード処理の制御がカードシステム２００において行われる。
【０１００】
次に、更新期間中に行われる処理について図５（ｂ）に示すフローチャートを参照して説明を行う。
【０１０１】
遊技客は、有効期間を過ぎた遊技カードを台間カード処理装置２０に挿入するか、精算機５０に挿入するか、係員に渡して、係員によって精算機５０に遊技カードが挿入される（ステップ５０３）。
【０１０２】
すなわち、運用前にカード更新パターンが「１１＝自動更新」に設定された際には、台間カード処理装置２０に遊技カードを挿入するか、或いは、精算機５０で精算処理を行う為に精算機５０に遊技カードを挿入する。
【０１０３】
そして、運用前にカード更新パターンが「１１＝自動更新」以外の設定がされていた際には、精算機５０による更新処理或いは精算機５０による精算処置が行われるので、カード更新パターンが、遊技客による処理が許可されている場合は遊技客によって、カード更新パターンがホール係員によって処理されるように設定されている場合にはホール係員によって、遊技カードが精算機５０に挿入される。
【０１０４】
台間カード処理装置２０或いは精算機５０に有効期間を過ぎた遊技カードが挿入されて受付けられると（ステップ５０３）、受け付けた装置からターミナルコントローラ１００にカードＩＤの送信が行われる（ステップ５０４）。
【０１０５】
すなわち、運用前に「１１＝自動更新」が設定されていた場合はそのままカードＩＤが台間カード処理装置２０からターミナルコントローラ１００に送信され、運用前に「１１＝自動更新」以外が設定されていた場合は精算機５０において更新ボタンの押下が行われて、カードＩＤと更新要求のデータが精算機５０からターミナルコントローラ１００に送信される。
【０１０６】
ターミナルコントローラ１００にデータが送られると（ステップ５０４）、ターミナルコントローラ１００では、要求される各処理に応じて、データの処理が行われる（ステップ５０５）。
【０１０７】
すなわち、運用前に「１１＝自動更新」が設定されて、台間カード処理装置２０から有効期間が切れた遊技カードのカードＩＤが送られたターミナルコントローラ１００では、有効期限が過ぎた時点で、カードマスタ１１３の内容が有効期限が過ぎた遊技カードのカード状態が「未更新」から「更新」に記録しなおされるので、ＣＰＵ１２０がカードマスタ１１３に記録された「更新」が確認される。
【０１０８】
また、運用前に「１１＝自動更新」以外が設定されて、精算機５０から、有効期間の切れた遊技カードのカードＩＤと更新要求とが送られたターミナルコントローラ１００では、ＣＰＵ１２０がカードマスタ１１３に記録された該カードＩＤの情報を参照して、該遊技カードのカード状態が「未更新」であることを確認すると、カードマスタ１１３に記録される該遊技カードのカード状態を「更新」に記録し直して更新処理を行い、カードＩＤが送られた精算機５０に対して更新処理完了の通知を行う。
【０１０９】
このようにターミナルコントローラ１００で更新処理が行われると（ステップ５０５）、遊技カードが挿入された装置で対応する処理が行われる（ステップ５０６）。
【０１１０】
すなわち、運用前に「１１＝自動更新」が設定されて台間カード処理装置２０よりカードＩＤが送信されていた場合には、台間カード処理装置２０での玉貸処理と、精算機５０での精算処理とが可能である。
【０１１１】
また、精算機５０に遊技カードが挿入されて更新ボタンが押下されていた場合には、精算機５０は、ターミナルコントローラ１００より受付ける更新処理完了の通知を確認して、更新処理が行われた旨を図示しない表示装置等によりユーザに表示させて該遊技カードを排出する。
【０１１２】
このように、本発明に係わるカードシステム２００では、更新期間中で処理可能となる更新／精算処理は、運用前に設定されたカード更新パターンの内容に基づいて制御されるので、遊技場毎に柔軟な設定が可能となる。
【０１１３】
また、更新期間自体も、０〜３０日の範囲においてターミナルコントローラ１００の１つの装置より任意に設定可能なので、本発明に係わるカードシステム２００では遊技場毎に更新期間を柔軟に効率良く設定することが可能となる。
【０１１４】
そして、遊技カードの更新期間が終了すると、カードマスタ１１３に記録される該遊技カードのカード状態が、「更新済」から「未救済」に記録し直され、遊技カードは救済期間に移行される。
【０１１５】
救済期間は運用前にカードシステム運用設定画面４０１で設定された期間であり、救済期間中には、遊技カードに持ち越された残高の払い出し処理である精算処理が係員によって精算機５０で実行可能である。
【０１１６】
救済期間中に、遊技客が係員に、遊技カード中の未使用の残高の精算を要求すると、係員によって、遊技客のプリペイドカードが精算機５０に挿入され、精算機５０の精算ボタンの押下が行われる（ステップ５０７）。
【０１１７】
そして、精算機５０は、係員による精算要求を受付け、挿入された遊技カードのカードＩＤと精算要求をターミナルコントローラ１００に送信する（ステップ５０８）。
【０１１８】
遊技カードのカードＩＤと精算要求とを精算機５０から受信したターミナルコントローラ１００は、カードマスタ１１３に記録されている該遊技カードのカード状態が「未救済」であることを確認して、記録されていた未使用の残高を払い出す命令通知を精算機５０に送り、そして、カードマスタ１１３に記録される該遊技カードのカード状態を「未救済」から「精算済」に記録しなおし、払い出した残高を救済額として記録する（ステップ５０９）。
【０１１９】
ターミナルコントローラ１００より残高を払い出すように指示を受けた精算機５０は、遊技客に指示された残高を払い出し、挿入されたプリペイドカードを排出する（ステップ５１０）。
【０１２０】
このように、更新期間中に精算処理が行われなかった遊技カードについても、運用前に設定された救済期間の間に、係員によって残高が持ち越されたプリペイドカードの精算が可能であり、本発明に係わるカードシステム２００では、この救済期間を０〜３０日の範囲においてターミナルコントローラ１００の１つの装置より任意に設定可能なので、遊技場毎に救済期間の柔軟な設定が効率よく行える。
【０１２１】
そして、運用前に設定された救済期間が終了すると、カードマスタ１１３に記録されるカード状態が、「未救済」から「失効」に記録し直され、遊技カードは失効期間に移行される。
【０１２２】
次に、ターミナルコントローラ１００の表示装置１４０に表示される、発行された遊技カードを検索条件により検索して、検索された遊技カードのカード状態を含むカード情報を表示するカード情報リアル参照表示画面について図６を参照して説明を行う。
【０１２３】
図６は、ターミナルコントローラ１００の表示装置１４０に表示される、発行された遊技カードを検索条件により検索して、検索された遊技カードのカード状態を含むカード情報を表示するカード情報リアル参照表示画面６００について示した画面構成図である。
【０１２４】
カード情報リアル参照表示画面６００では、画面上部に、遊技カードを検索する検索条件の入力欄が配置され、画面下部に、検索された遊技カードの情報を表示する表示欄が配置される。
【０１２５】
検索条件の入力欄の状態欄（参照番号６０１）には、「全て」、「当日」、「未更新」「更新済」、「未救済」、「精算済」、「失効」の検索条件が入力可能である。
【０１２６】
そして、検索条件「当日」は有効期間中の遊技カードを検索する条件であり、検索条件「未更新」は更新期間中であって更新処理が行われていない未更新の遊技カードを検索する条件であり、検索条件「更新済」は更新期間中であって更新処理が行われた更新済の遊技カードを検索する条件であり、検索条件「未救済」は救済期間中であって、救済期間中の残高の払い出し処理の精算処理が行われていない遊技カードを検索する条件であり、検索条件「精算済」は残高の精算が全て行われた遊技カードを検索する条件であり、検索条件「失効」は残高の精算が行われなくて失効期間に移行した遊技カードを検索する条件であり、検索条件「全て」は遊技カードの状態に関しては、特に限定をせずすべての状態の遊技カードを検索対象とする検索条件である。
【０１２７】
また、検索条件の種別欄（参照番号６０２）には遊技カードの種別として「一般」、「会員全て」、「会員（退会除く）」が入力可能であり、検索条件「会員全て」は会員カードの全てが検索する対象となり、検索条件「会員（退会除く）」は退会した会員の会員カードを除いた会員カードの全てが検索対象となり、検索条件「一般」はプリペイドカードである遊技カードが検索対象となる。
【０１２８】
また、検索条件のカードＩＤ欄（参照番号６０３）には、検索対象のカードＩＤの番号の入力が行われる。
【０１２９】
また、検索条件の合計残高の欄（参照番号６０４）には、検索対象の遊技カードの合計残高の最低額を入力することができ、入力された金額以上の合計残高を有する遊技カードが検索の対象となる。
【０１３０】
そして、検索条件の入力欄に記入された条件に従う遊技カードが、検索条件の入力欄の下に配置された検索結果を表示する表示欄に表示される。
【０１３１】
表示欄には、遊技カードの情報として、カードＩＤ番号、カードの種別、カード状態、未使用の残高等が表示される。
【０１３２】
また、この検索結果は、ターミナルコントローラ１００内の入出力装置１３０から印刷出力することが可能である。
【０１３３】
このようにして、検索条件を入力して検索されたカードのカード状態を含むカード情報が表示される。
【０１３４】
次に、ターミナルコントローラ１００の表示装置１４０に表示される、遊技場の集計として各状態のカード枚数等の表示が行われるカード締上表表示画面について図７を参照して説明を行う。
【０１３５】
図７は、ターミナルコントローラ１００の表示装置１４０に表示される、遊技場の集計として各状態のカード枚数等の表示が行われるカード締上表表示画面７００について示した画面構成図である。
【０１３６】
カード締上表表示画面７００では、画面上部に、検索する期間を入力する入力欄７０１が配置されており、その下の画面には、各遊技カード状態に応じて、入力欄７０１に入力された期間中の各カード枚数等の集計結果を表示する表示欄が配置されている。
【０１３７】
カード締上表表示画面７００に示される集計結果は、ターミナルコントローラ１００のＣＰＵ１２０が記憶装置１１０を参照することによって集計され、表示装置１４０より表示される。
【０１３８】
このようにして、カードシステム２００を有する遊技場全体の各カード毎の状態が集計された結果を表示することができる。
【０１３９】
また、この集計結果は、ターミナルコントローラ１００内の入出力装置１３０から印刷出力することも可能である。
【０１４０】
なお、本実施例では、図５のフローチャートを使って説明したカードシステム２００における処理について、精算機５０が係員による精算要求を受付ける際（図５のフローチャートのステップ５０７）には、救済期間中の精算処理は係員によってしか行われないようにするために、遊技カードを受付けた後に、照合キー挿入や暗証番号入力等による係員の確認が行われて、その後、精算要求の受付けが行われるようにしてもよい。
【０１４１】
なお、本実施例では、カードシステム運用設定画面４０１で設定可能な更新期間、救済期間の期間は、０〜３０日の間の任意の期間が設定可能であるように説明したが、設定可能な最大期間は３０日に限らず、３０日とは異なる任意の期間を最大期間にすることも可能である。
【０１４２】
なお、本実施例では、遊技カードの有効期間を１日と固定して説明を行ったが、有効期間についても、更新期間、救済期間と同様に、決められた範囲で任意の期間の設定が行われるようにしてもよい。
【０１４３】
その際には、更新期間、救済期間と同様にカードシステム運用設定画面４０１で有効期間の入力欄を設けて、有効期間の設定が行えるようにして、設定された有効期間は、期間設定ファイル１１１に保存される。
【０１４４】
そして、設定された有効期間内に可能な処理は、本実施例で説明した有効期間に可能な処理と同じである。
【産業上の利用可能性】
【０１４５】
この発明は、有効期間を過ぎた後に遊技媒体貸出の為に更新処理が必要な遊技カードを使用して遊技媒体を貸し出す遊技場において利用可能である。
【０１４６】
この発明によれば、有効期間を過ぎた後に行える処理の処理内容、処理期間に関する任意な設定を遊技カードの情報を管理する管理装置であるターミナルコントローラだけで行うことができる。
【図面の簡単な説明】
【０１４７】
【図１】カードシステム２００の概略を示したシステム構成図。
【図２】ターミナルコントローラ１００の内部構成について示したブロック図。
【図３】運用前の準備として必要な処理の処理フローについて示したフローチャート。
【図４】期間の設定とカード更新パターンの設定が行われる設定画面の画面構成図。
【図５】カードシステム２００で行われる処理フローを示したフローチャート。
【図６】カード情報リアル参照表示画面６００の画面構成図。
【図７】カード締上表表示画面７００の画面構成図。
【符号の説明】
【０１４８】
１０    各遊技台
２０    各台間カード処理装置
３０    各島コントローラ
４０    デビット券売機
５０    精算機
６０    ケーブル
１００    ターミナルコントローラ
１１１    期間設定ファイル
１１２    更新パターン設定ファイル
１１３    カードマスタ
１１４    営業日付管理ファイル
１２０    ＣＰＵ
１３０    入出力装置
１４０    表示装置
１５０    通信インタフェース
４０１    カードシステム運用設定画面
４０２    カード更新パターン設定画面
６００    カード情報リアル参照表示画面
７００    カード締上表表示画面
【図１】
0004732856.tif 000002
【図２】
0004732856.tif 000003
【図３】
0004732856.tif 000004
【図４】
0004732856.tif 000005
【図５】
0004732856.tif 000006
【図６】
0004732856.tif 000007
【図７】
0004732856.tif 000008